(57)【要約】【課題】本発明は短時間で注水可能であり、節水効果を持ち、給水間隔時間を延長可能にし、栽培植物には変化を与えることなく給水部材を簡単に交換出来、低コストで製作可能な園芸鉢を提供することを課題とする。【解決手段】上部鉢（１）は上部鉢本体（２）と上部鉢カバー（３）で構成され上部鉢本体（２）内に栽培部（４）中間部に空気層（５）下部鉢（６）内に貯水タンク部（７）を持ち、貯水タンク部（７）から栽培部（４）へ毛細管現象により給水する給水部材（８）を持ち、下部鉢（６）上部に注水穴兼用ドレン（１４）を持ち、上部鉢カバー（３）は給水部材（８）を配置するための給水部材用くぼみ（１２）を持ち、上部鉢本体（２）は給水部材（８）を配置するための給水部材用くぼみ（１２）に相対する位置に給水用開口部（１０）を持ち、上部鉢本体（２）と上部鉢カバー（３）を締結する締結部材（１１）を持つことを特徴とする園芸鉢。【選択図】図２
2005304412.tif 000002
【特許請求の範囲】
【請求項１】
上部鉢（１）は上部鉢本体（２）と上部鉢カバー（３）で構成され上部鉢本体（２）内に栽培部（４）中間部に空気層（５）下部鉢（６）内に貯水タンク部（７）を持ち、貯水タンク部（７）から栽培部（４）へ毛細管現象により給水する給水部材（８）を持ち、下部鉢（６）上部に注水穴兼用ドレン（１４）を持ち、上部鉢カバー（３）は給水部材（８）を配置するための給水部材用くぼみ（１２）を持ち、上部鉢本体（２）は給水部材（８）を配置するための給水部材用くぼみ（１２）に相対する位置に給水用開口部（１０）を持ち、上部鉢本体（２）と上部鉢カバー（３）を締結する締結部材（１１）を持つことを特徴とする園芸鉢。
【請求項２】
上部鉢本体（２）と上部鉢カバー（３）を締結する締結部材（１１）が上部鉢本体（２）の給水用開口部（１０）と上部鉢カバー（３）の給水部材（８）を配置するための給水部材用くぼみ（１２）が交差しない位置にも設置出来ることを特徴とする請求項１記載の園芸鉢。
【請求項３】
給水部材（８）を配置するための給水部材用くぼみ（１２）の底面に給水部材（８）のずれを防止する突起（１８）を持つことを特徴とする請求項１記載の園芸鉢。
【発明の詳細な説明】
【技術分野】
【０００１】
本発明は給水間隔時間を延長可能にした園芸鉢に関する物である。
【背景技術】
【０００２】
従来の園芸鉢は図１０に示すように上部鉢（１）と下部鉢（６）２部品が種々の方法で結合または接合され、上部鉢（１）内に栽培部（４）と空孔（９）と水切り部（１９）を持った物である。
【発明の開示】
【発明が解決しようとする課題】
【０００３】
しかしながら、以上の従来技術によれば、植物の必要とする水分は栽培部（４）に蓄えられた水分のみであり、量が少なく天候、季節、栽培植物の種類等によるが、毎日又は一日おきに給水する必要が有り、必要給水量は不明確であり、通常は多めに給水し、過給水時は水切り部（１９）を経由して垂れ流しである。
【０００４】
そこで、本発明は短時間で注水可能であり、節水効果を持ち、給水間隔時間を延長可能にし、栽培植物に変化を与えることなく給水部材を簡単に交換出来、低コストで製作可能な園芸鉢を提供することを課題とする。
【課題を解決するための手段】
【０００５】
本発明（請求項１に記載の第１発明）において、上部鉢（１）は上部鉢本体（２）と上部鉢カバー（３）で構成され上部鉢本体（２）内に栽培部（４）中間部に空気層（５）下部鉢（６）内に貯水タンク部（７）を持ち、貯水タンク部（７）から栽培部（４）へ毛細管現象により給水する給水部材（８）を持ち、下部鉢（６）上部に注水穴兼用ドレン（１４）を持ち、上部鉢カバー（３）は給水部材（８）を配置するための給水部材用くぼみ（１２）を持ち、上部鉢本体（２）は給水部材（８）を配置するための給水部材用くぼみ（１２）に相対する位置に給水用開口部（１０）を持ち、上部鉢本体（２）と上部鉢カバー（３）を締結する締結部材（１１）を持つことを特徴とする園芸鉢。
【０００６】
本発明（請求項２に記載の第２発明）は、上部鉢本体（２）と上部鉢カバー（３）を締結する締結部材（１１）が上部鉢本体（２）の給水用開口部（１０）と上部鉢カバー（３）の給水部材（８）を配置するための給水部材用くぼみ（１２）が交差しない位置にも設置出来ることを特徴とする園芸鉢。
【０００７】
本発明（請求項３に記載の第３発明）は、給水部材（８）を配置するための給水部材用くぼみ（１２）の底面に給水部材（８）のずれを防止する突起（１８）を持つことを特徴とする園芸鉢。
【発明の効果】
【０００８】
本発明は、以上説明したように構成されているので以下に記載されるような効果を奏する。
【０００９】
本発明の第１発明によれば、大きな容量を持つ貯水タンク部の水を毛細管現象により自動的に給水を行い、園芸鉢への給水間隔時間を大幅に延長可能であり、給水部材が腐食等を起こし交換する必要が生じた時上部鉢本体と上部鉢カバーを締結する締結部材をはずし給水部材用くぼみに給水部材を設置し、再度締結することにより栽培部にはなんら変化を与えることなく簡単に交換が可能であり、植物の根を痛めることもなく、1年草の草花のみで無く多年草、樹木等の栽培にも適用可能である。
【００１０】
本発明の第２発明によれば、上部鉢本体と上部鉢カバーの締結部材が上部鉢本体の給水用開口部と上部鉢カバーの給水部材を配置するための給水部材用くぼみに相対しない位置にも設置出来、上部鉢単体で植物を育成する際には上部鉢本体の給水用開口部と上部鉢カバーの給水部材用くぼみが交差することなく締結可能であり、給水部材の設置が不要また栽培部の土がこぼれたりはみだしたりすることが無い。
【００１１】
本発明の第３発明によれば、給水部材を配置するための給水部材用くぼみの底面に給水部材のずれを防止する突起を持つため給水部材交換時給水部材のずれを防止し確実に設置が可能。
【発明を実施するための最良の形態】
【００１２】
発明の実施の形態を実施例にもとづき図面を参照して説明する
【実施例１】
【００１３】
第１発明の一実施形態を図１、図２、図３、図４、図５、図６、図７に示す。本発明において、上部鉢（１）は上部鉢本体（２）と上部鉢カバー（３）で構成され上部鉢本体（２）内に栽培部（４）中間部に空気層（５）下部鉢（６）内に貯水タンク部（７）を持ち、貯水タンク部（７）から栽培部（４）へ毛細管現象により給水する給水部材（８）を持ち、下部鉢（６）上部に注水穴兼用ドレン（１４）を持ち、上部鉢カバー（３）は給水部材（８）を配置するための給水部材用くぼみ（１２）を持ち、上部鉢本体（２）は給水部材（８）を配置するための給水部材用くぼみ（１２）に相対する位置に給水用開口部（１０）を持ち、上部鉢本体（２）と上部鉢カバー（３）を締結する締結部材（１１）を持ち、毛細管現象を持つ給水部材（８）で貯水タンク部（７）から栽培部（４）へ自動的に給水を行い、植物の必要とする水分を補給する。
【００１４】
栽培部（４）は従来の園芸鉢と同じく底部中央付近に空孔（９）を持つ上部鉢本体（２）で形成され、植物の栽培を行う。
【００１５】
空気層（５）は上部鉢本体底部下面（１３）と下部鉢（６）上部の注水穴兼用ドレン（１４）の位置で決まる貯水タンク部（７）の水位最高位置（１６）で形成され、栽培部（４）と貯水タンク部（７）が連通し、植物の根が水没するのを防止する。
【００１６】
貯水タンク部（７）は下部鉢（６）上部の注水穴兼用ドレン（１４）の位置より下の部分で形成され、給水と下部鉢（６）を安定させるための水を蓄え、液体肥料等を混合して使用も可能。
【００１７】
給水部材（８）は貯水タンク部（７）の水位最低位置（１７）より下位置から空気層（５）と上部鉢カバー（３）の給水部材用くぼみ（１２）を経由し、上部鉢本体（２）の給水用開口部（１０）にて栽培部（４）へ到達しており、毛細管現象により給水を行う。
【００１８】
給水部材（８）は毛細管現象を持ち、植物、環境に害を与えない物で有れば使用可能で有り、例えばペーパータオル、ぼろきれ等も使用出来、植物の種類、数により材質、数、多きさを変更して使用できる。
【００１９】
水位最低位置（１７）は強風等で園芸鉢が転倒するのを防止するのに必要な水量で決定される。
【００２０】
雨等で栽培部（４）から水が浸入した場合は上部鉢本体（２）に設けられた空孔（９）から水が空気層（５）を経由して貯水タンク部（７）に滴下し、貯水タンク部（７）の水位最高位置（１６）を超えた時は注水穴兼用ドレン（１４）から排水し、貯水タンク部（７）の水位最高位置（１６）に水位を保ち、栽培部（４）と貯水タンク部（７）が連通し、植物の根が水没するのを防止する。
【００２１】
運搬時は下部鉢上端開口部（１５）からいったん排水し、軽くしてから移動させることも出来る。
【００２２】
注水穴兼用ドレン（１４）は貯水タンク部（７）に直接注水を可能にし、過注水時排水し、貯水タンク部（７）の水位最高位置（１６）に水位を保つ。
【００２３】
上部鉢（１）は上部鉢カバー（３）の下部鉢（６）との嵌め合い部（２０）により安定を保つことが出来、下部鉢（６）と接合せずに使用可能であり従来の園芸鉢と同様に使用出来、植物が生長した時点で下部鉢（６）と組合せることにより下部鉢（６）の数を減らすことが出来る。
【００２４】
締結部材（１１）はスナップフィット、セルフドリリングタッピングネジ等上部鉢本体（２）と上部鉢カバー（３）を締結可能であれば全て利用可能である。
【００２５】
本発明の製作等においては、素焼き、陶磁器、ガラス、樹脂、金属等の他に一般に利用されているものは全て利用可能である。
【実施例２】
【００２６】
第２発明の一実施形態を図８に示す。上部鉢本体（２）と上部鉢カバー（３）を締結する締結部材（１１）が上部鉢本体（２）の給水用開口部（１０）と上部鉢カバー（３）の給水部材（８）を配置するための給水部材用くぼみ（１２）が交差しない位置にも設置出来ることを特徴とする請求項１記載の園芸鉢。
【実施例３】
【００２７】
第３発明の一実施形態を図９に示す。給水部材（８）を配置するための給水部材用くぼみ（１２）の底面に給水部材（８）のずれを防止する突起（１８）を持つことを特徴とする請求項１記載の園芸鉢。
【図面の簡単な説明】
【００２８】
【図１】第１発明の一実施形態を示す上面視図。
【図２】図１のＡ−Ａ断面図。
【図３】上部鉢の縦断面図。
【図４】上部鉢本体の縦断面図。
【図５】上部鉢カバーの上面視図。
【図６】図５のＢ−Ｂ断面図。
【図７】下部鉢の縦断面図。
【図８】第２発明の上部鉢の縦断面図。
【図９】第３発明の上部鉢カバーの縦断面図。
【図１０】従来技術を示す縦断面図。
【符号の説明】
【００２９】
１上部鉢
２上部鉢本体
３上部鉢カバー
４栽培部
５空気層
６下部鉢
７貯水タンク部
８給水部材
９空孔
１０給水用開口部
１１締結部材
１２給水部材用くぼみ
１３上部鉢本体底部下面
１４注水穴兼用ドレン
１５下部鉢上端開口部
１６水位最高位置
１７水位最低位置
１８突起
１９水切り部
２０嵌め合い部
【図１】
2005304412.tif 000003
【図２】
2005304412.tif 000004
【図３】
2005304412.tif 000005
【図４】
2005304412.tif 000006
【図５】
2005304412.tif 000007
【図６】
2005304412.tif 000008
【図７】
2005304412.tif 000009
【図８】
2005304412.tif 000010
【図９】
2005304412.tif 000011
【図１０】
2005304412.tif 000012